(57)【要約】【課題】  隣接するグルーブトラックからのクロストークの影響による、抽出ウォブル信号の、本来有する位相に対する変動量を正確に検出が可能な位相比較装置。【解決手段】  ウォブル信号でウォブリングされたグルーブトラックと、該に記録ビームを誘導するガイドトラックとしてのランドトラックとを有し、該ランドトラック上にウォブル信号に対し所定の位相関係をもって形成し、半径方向の同一直線上に隣接するランドトラック上には形成しないプリピットを有する光ディスクに対する情報記録装置Ｓのウォブル信号とプリピットとの位相比較装置ＰＤであり、ウォブル信号を抽出するウォブル信号抽出手段１５と、プリピット検出手段１３と、抽出したウォブル信号に同期し、所定の周波数相当の周期の期間単調増加する周期信号を発生する周期信号発生手段と、当該周期信号の振幅レベルをプリピットの検出タイミングでラッチする保持手段とを備える。【選択図】  図３
2005322407.tif 000002
【特許請求の範囲】
【請求項１】
所定の周波数を有するウォブル信号でウォブリングされたデータ記録用トラックを有すると共に、当該ウォブル信号とは所定の位相関係を有するようにプリ情報が記録されている情報記録媒体にデータを記録する際に用いられる記録用クロック信号を生成する記録用クロック信号発生装置であって、
前記ウォブル信号を抽出するウォブル信号抽出手段と、
前記プリ情報を検出してプリ情報検出信号を発生するプリ情報検出手段と、
前記抽出されたウォブル信号及び前記プリ情報検出信号に基づいて前記記録用クロック信号を生成する記録用クロック生成手段と、
を備えたことを特徴とする記録用クロック信号発生装置。
【請求項２】
前記記録用クロック生成手段は、前記プリ情報検出信号に基づいて前記ウォブル信号の位相を調整する位相調整手段を含むことを特徴とする請求項１に記載の記録用クロック信号発生装置。
【請求項３】
前記位相調整手段は、前記ウォブル信号の位相を移相する移相手段からなることを特徴とする請求項２に記載の記録用クロック信号発生装置。
【請求項４】
前記記録用クロック生成手段は、
前記ウォブル信号の位相と前記プリ情報検出信号の位相を比較して、位相調整信号を生成する位相比較手段と、
前記位相調整信号に基づいて前記ウォブル信号の位相を調整する位相調整手段と、
を含むことを特徴とする請求項１に記載の記録用クロック信号発生装置。
【請求項５】
前記記録用クロック生成手段は、
第１クロック信号を生成する第１クロック生成手段と、
前記ウォブル信号の位相と前記プリ情報検出信号の位相を比較して、位相調整信号を生成する位相比較手段と、
前記位相調整信号に基づいて、前記第１クロック信号の位相を調整する位相調整手段と、
を含むことを特徴とする請求項１に記載の記録用クロック信号発生装置。
【請求項６】
前記位相調整手段は、前記第１クロック信号の位相を移相する移相手段からなることを特徴とする請求項５に記載の記録用クロック信号発生装置。
【請求項７】
前記第１クロック生成手段は、前記第１クロック信号と前記ウォブル信号との位相差を示す位相差信号を生成する第２位相比較手段と、当該位相差信号に基づいて前記第１クロック信号を発生する発振回路とを備えたＰＬＬ回路であることを特徴とする請求項５又は６に記載の記録用クロック信号発生装置。
【請求項８】
所定の周波数を有するウォブル信号でウォブリングされたデータ記録用トラックを有すると共に、当該ウォブル信号とは所定の位相関係を有するようにプリ情報が記録されている情報記録媒体にデータを記録する際に用いられる記録用クロック信号を生成する記録用クロック信号発生方法であって、
前記ウォブル信号を抽出するウォブル信号抽出工程と、
前記プリ情報を検出してプリ情報検出信号を発生するプリ情報検出工程と、
前記抽出されたウォブル信号及び前記プリ情報検出信号に基づいて前記記録用クロック信号を生成する記録用クロック生成工程と、
を備えたことを特徴とする記録用クロック信号発生方法。
【請求項９】
前記記録用クロック生成工程は、前記プリ情報検出信号に基づいて前記ウォブル信号の位相を調整する位相調整工程を含むことを特徴とする請求項８に記載の記録用クロック信号発生方法。
【請求項１０】
前記位相調整工程は、前記ウォブル信号の位相を移相する移相工程からなることを特徴とする請求項９に記載の記録用クロック信号発生方法。
【請求項１１】
前記記録用クロック生成工程は、
前記ウォブル信号の位相と前記プリ情報検出信号の位相を比較して、位相調整信号を生成する位相比較工程と、
前記位相調整信号に基づいて前記ウォブル信号の位相を調整する位相調整工程と、
を含むことを特徴とする請求項８に記載の記録用クロック信号発生方法。
【請求項１２】
前記記録用クロック生成工程は、
第１クロック信号を生成する第１クロック生成工程と、
前記ウォブル信号の位相と前記プリ情報検出信号の位相を比較して、位相調整信号を生成する位相比較工程と、
前記位相調整信号に基づいて、前記第１クロック信号の位相を調整する位相調整工程と、
を含むことを特徴とする請求項８に記載の記録用クロック信号発生方法。
【請求項１３】
前記位相調整工程は、前記第１クロック信号の位相を移相する移相工程からなることを特徴とする請求項１２に記載の記録用クロック信号発生方法。
【請求項１４】
前記第１クロック生成工程は、前記第１クロック信号と前記ウォブル信号との位相差を示す位相差信号を生成する第２位相比較工程と、当該位相差信号に基づいて前記第１クロック信号を発生する発振工程とを備えたＰＬＬ回路においてなされることを特徴とする請求項１２又は１３に記載の記録用クロック信号発生方法。
【発明の詳細な説明】
【技術分野】
【０００１】
本願発明は、記録可能な光ディスクに、当該光ディスクの回転に同期した記録用クロック信号に基づいて情報を記録する情報記録装置において、当該記録用クロック信号を生成する記録用クロック信号発生装置で用いられる位相比較装置に関する。
【背景技術】
【０００２】
一回のみ記録可能な追記型光ディスクとしてＣＤ−Ｒ（Compact Disc - Recordable)が公知である。
【０００３】
ＣＤ−Ｒには、ディスク上のトラックの位置情報等のプリ情報で所定の周波数（２２．０５ＫＨｚ）を有する搬送波をＦＭ変調したウォブル信号に応じて、ディスク半径方向に僅かに揺動（ウォブリング）されたグルーブトラック（情報記録トラック）が存在する。
【０００４】
かかるグルーブトラックからウォブル信号を抽出するには、照射した光ビームのグルーブトラックからの反射光を、グルーブトラックの接線方向と光学的に平行な分割線で2分割されたフォトディテクタで受光し、各ディテクタからの出力の差分を取り、かかる差分信号を上記所定の周波数を中心周波数とするＢＰＦ（Band Pass Filter）に供給することによってなされる。
【０００５】
ＣＤ−Ｒは、ＢＰＦを介して抽出されたウォブル信号の平均周波数が、上記所定の周波数となるように回転制御される。この際、抽出されたウォブル信号（以下、抽出ウォブル信号と称する。）は、記録用クロック信号を生成するための基準信号としても利用される。つまり、抽出ウォブル信号は、ディスクの回転に同期した周波数成分を有する連続信号であり、かかる連続信号に位相同期したクロック信号を生成することによって、ディスクの回転に正確に同期した記録用のクロック信号を生成するのである。
【発明の開示】
【発明が解決しようとする課題】
【０００６】
ところで、最近従来のＣＤ−Ｒに対して約7倍に記録容量を向上させた情報記録媒体として、いわゆるＤＶＤ−Ｒ（Digital Versatile Disc - Recordable）についての研究開発が盛んに行われている。
【０００７】
ＤＶＤ−Ｒは、高密度記録するために、隣接するトラック間のピッチがＣＤ−Ｒの略半分とされている。このため、光ビームを照射したグルーブトラックに隣接するグルーブトラックからの漏れ込み、いわゆるクロストークが無視できなくなる。隣接する左右のグルーブトラックからのクロストークがあると、抽出ウォブル信号は、隣接するグルーブトラックのウォブル信号成分による干渉を受けることになり、その振幅や位相が変動してしまう。特に位相の変動、すなわちジッタを伴うことにより、上記クロストークの影響を受けた抽出ウォブル信号からは、ディスクの回転に正確に同期したクロック信号を生成できなくなるという問題がある。
【０００８】
すなわち、クロストーク等により、回転制御信号（基準信号と抽出ウォブル信号との位相差）に変動が発生した場合、かかる回転制御信号に応答して回転制御が制定するまでに要する時間と、クロック信号を生成するＰＬＬ回路が制定するまでに要する時間とが異なる（通常はディスクの慣性により回転制御の応答はＰＬＬ回路の応答に比べてはるかに遅い）ため、クロック信号の位相とディスクの回転位相とがその間ずれてしまうのである。このようなずれが生じると、本来記録するべき位置に記録すべきデータパターンを記録形成できなくなる。
【０００９】
そこで、クロック信号発生装置においては、抽出ウォブル信号の位相と、ウォブル信号が本来有する位相との変動量を検出し、発生する記録用クロック信号に対してかかる変動量を相殺する様に構成することが望まれるが、そのためには上記変動量を正確に検出することができる位相比較装置が要求される。
【００１０】
本願発明は、上記問題に鑑みてなされたもので、その目的は、隣接するグルーブトラックからのクロストークの影響による、抽出ウォブル信号の、本来有する位相に対する変動量を正確に検出することが可能となる位相比較装置を提供することにある。
【課題を解決するための手段】
【００１１】
上記課題を解決するために、本願発明の記録用クロック信号発生装置は、所定の周波数を有するウォブル信号でウォブリングされたデータ記録用トラックを有すると共に、当該ウォブル信号とは所定の位相関係を有するようにプリ情報が記録されている情報記録媒体にデータを記録する際に用いられる記録用クロック信号を生成する記録用クロック信号発生装置であって、前記ウォブル信号を抽出するウォブル信号抽出手段と、前記プリ情報を検出してプリ情報検出信号を発生するプリ情報検出手段と、前記抽出されたウォブル信号及び前記プリ情報検出信号に基づいて前記記録用クロック信号を生成する記録用クロック生成手段と、を備えて構成される。
【００１２】
上記課題を解決するために、本願発明の記録用クロック信号発生方法は、所定の周波数を有するウォブル信号でウォブリングされたデータ記録用トラックを有すると共に、当該ウォブル信号とは所定の位相関係を有するようにプリ情報が記録されている情報記録媒体にデータを記録する際に用いられる記録用クロック信号を生成する記録用クロック信号発生方法であって、前記ウォブル信号を抽出するウォブル信号抽出工程と、前記プリ情報を検出してプリ情報検出信号を発生するプリ情報検出工程と、前記抽出されたウォブル信号及び前記プリ情報検出信号に基づいて前記記録用クロック信号を生成する記録用クロック生成工程と、を備えて構成される。
【００１３】
本願発明における記録用クロック信号発生装置によれば、所定の周波数を有するウォブル信号でウォブリングされたデータ記録用トラックを有すると共に、当該ウォブル信号とは所定の位相関係を有するようにプリ情報が記録されている情報記録媒体にデータを記録する際に用いられる記録用クロック信号を生成する。
【００１４】
ここでは、まず前記ウォブル信号抽出手段によって、前記ウォブル信号が抽出される。
次いで、前記プリ情報検出手段によって前記プリ情報が検出されプリ情報検出信号が発生する。次いで、前記記録用クロック生成手段によって前記抽出されたウォブル信号及び前記プリ情報検出信号に基づいて前記記録用クロック信号が生成される。
【００１５】
本願発明における一態様において、前記記録用クロック生成手段は、前記プリ情報検出信号に基づいて前記ウォブル信号の位相を調整する位相調整手段を含む。
【００１６】
この態様によれば、前記記録用クロック生成手段に含まれる位相調整手段によって、前記プリ情報検出信号に基づいて前記ウォブル信号の位相が調整される。
【００１７】
またこの態様においては、前記位相調整手段は、前記ウォブル信号の位相を移相する移相手段とすることができる。
【００１８】
また本願発明の別の一態様において、前記記録用クロック生成手段は、前記ウォブル信号の位相と前記プリ情報検出信号の位相を比較して、位相調整信号を生成する位相比較手段と、前記位相調整信号に基づいて前記ウォブル信号の位相を調整する位相調整手段を含む。
【００１９】
この態様によれば、前記記録用クロック生成手段に含まれる位相比較手段によって、前記ウォブル信号の位相と前記プリ情報検出信号の位相とが比較されて、位相調整信号が生成し、前記記録用クロック生成手段に含まれる位相調整手段によって前記位相調整信号に基づいて前記ウォブル信号の位相が調整される。
【００２０】
本願発明における更に別の一態様において、前記記録用クロック生成手段は、第１クロック信号を生成する第１クロック生成手段と、前記ウォブル信号の位相と前記プリ情報検出信号の位相を比較して、位相調整信号を生成する位相比較手段と、前記位相調整信号に基づいて、前記第１クロック信号の位相を調整する位相調整手段と、を含む。
【００２１】
この態様によれば、前記記録用クロック生成手段に含まれる第１クロック生成手段によって第１クロック信号が生成し、前記記録用クロック生成手段に含まれる位相比較手段によって前記ウォブル信号の位相と前記プリ情報検出信号の位相とが比較されて、位相調整信号が生成する。次いで、前記記録用クロック生成手段に含まれる位相調整手段によって、前記位相調整信号に基づいて、前記第１クロック信号の位相が調整される。
【００２２】
またこの態様においては、前記位相調整手段は、前記第１クロック信号の位相を移相する移相手段とすることができる。
【００２３】
更にこの態様においては、前記第１クロック生成手段は、前記第１クロック信号と前記ウォブル信号との位相差を示す位相差信号を生成する第２位相比較手段と、当該位相差信号に基づいて前記第１クロック信号を発生する発振回路とを備えたＰＬＬ回路とすることができる。
【００２４】
本願発明の記録用クロック信号発生方法によれば、所定の周波数を有するウォブル信号でウォブリングされたデータ記録用トラックを有すると共に、当該ウォブル信号とは所定の位相関係を有するようにプリ情報が記録されている情報記録媒体にデータを記録する際に用いられる記録用クロック信号が生成される。
【００２５】
ここでは、まず前記ウォブル信号抽出工程において前記ウォブル信号が抽出される。次いで、前記プリ情報検出工程において、前記プリ情報が検出されてプリ情報検出信号が発生する。次いで、前記記録用クロック生成工程において前記抽出されたウォブル信号及び前記プリ情報検出信号に基づいて前記記録用クロック信号が生成される。
【００２６】
本願発明の一態様において、前記記録用クロック生成工程は、前記プリ情報検出信号に基づいて前記ウォブル信号の位相を調整する位相調整工程を含む。
【００２７】
この態様によれば、前記記録用クロック生成工程に含まれる位相調整工程において、前記プリ情報検出信号に基づいて前記ウォブル信号の位相が調整される。
【００２８】
またこの態様においては、前記位相調整工程は、前記ウォブル信号の位相を移相する移相工程とすることができる。
【００２９】
本願発明の一態様において、前記記録用クロック生成工程は、前記ウォブル信号の位相と前記プリ情報検出信号の位相を比較して、位相調整信号を生成する位相比較工程と、前記位相調整信号に基づいて前記ウォブル信号の位相を調整する位相調整工程を含む。
【００３０】
この態様によれば、前記記録用クロック生成工程に含まれる位相比較工程において、前記ウォブル信号の位相と前記プリ情報検出信号の位相とが比較されて、位相調整信号が生成し、前記記録用クロック生成工程に含まれる位相調整工程において、前記位相調整信号に基づいて前記ウォブル信号の位相が調整される。
【００３１】
本願発明の別の一態様において、前記記録用クロック生成工程は、第１クロック信号を生成する第１クロック生成工程と、前記ウォブル信号の位相と前記プリ情報検出信号の位相を比較して、位相調整信号を生成する位相比較工程と、前記位相調整信号に基づいて、前記第１クロック信号の位相を調整する位相調整工程と、を含む。
【００３２】
この態様によれば、前記記録用クロック生成工程に含まれる第１クロック生成工程において、第１クロック信号が生成し、前記記録用クロック生成工程に含まれる位相比較工程において、前記ウォブル信号の位相と前記プリ情報検出信号の位相とが比較されて、位相調整信号が生成される。次いで、前記記録用クロック生成工程に含まれる位相調整工程において、前記位相調整信号に基づいて、前記第１クロック信号の位相が調整される。
【００３３】
またこの態様においては、前記位相調整工程は、前記第１クロック信号の位相を移相する移相工程とすることができる。
【００３４】
更にこの態様においては、前記第１クロック生成工程は、前記第１クロック信号と前記ウォブル信号との位相差を示す位相差信号を生成する第２位相比較工程と、当該位相差信号に基づいて前記第１クロック信号を発生する発振工程とを備えたＰＬＬ回路においてなすことができる。
【００３５】
ここで、プリピット信号はウォブル信号と所定の位相関係をもって記録されている。更に、プリピット信号は、ディスク半径方向の同一直線上において隣接するランドトラック位置には存在しないため、かかるプリピット信号はクロストークの影響を受けることなく検出される。
【００３６】
したがって、隣接するグルーブトラックのウォブル信号によるクロストークによって、所望のグルーブトラックにおける抽出ウォブル信号の時間軸が変動した場合でも、抽出ウォブル信号の位相と、プリピット検出信号の位相を比較することで、抽出ウォブル信号の、本来有する位相に対する変動量を正確に検出することが可能となり、ひいては、ディスクの回転に正確に同期した記録用クロック信号を生成することができる。
【００３７】
又、ノイズ等の影響によりプリピット信号の検出を誤った場合にも、グルーブトラックから抽出した抽出ウォブル信号とプリピット検出信号の位相を比較して位相調整信号を生成する際に、平均化を行うので、プリピット信号の誤検出の影響を低減し、精度の良い位相比較が可能となる。
【発明の効果】
【００３８】
以上説明したように、本願発明の記録用クロック信号発生装置及び方法では、所定の周波数を有するウォブル信号でウォブリングされたデータ記録用トラックを有すると共に、当該ウォブル信号とは所定の位相関係を有するようにプリ情報が記録されている情報記録媒体にデータを記録する際に用いられる記録用クロック信号を生成するので、隣接するグルーブトラックのウォブル信号によるクロストークによって、所望のグルーブトラックにおける抽出ウォブル信号の時間軸が変動した場合でも、抽出ウォブル信号の、本来有する位相に対する変動量を正確に検出することが可能となり、ひいては、ディスクの回転に正確に同期した記録用クロック信号を生成することができる。
【００３９】
又、ノイズ等の影響によりプリピット信号の検出を誤った場合にも、グルーブトラックから抽出した抽出ウォブル信号とプリピット検出信号の位相を比較して位相調整信号を生成する際に、平均化を行うので、プリピット信号の誤検出の影響を低減し、精度の良い位相比較装置の提供が可能となる。
【発明を実施するための最良の形態】
【００４０】
次に本願発明に好適な実施の形態について図面を用いて説明する。始めに、プリ情報に対応したプリピットを形成すると共に、後述のグルーブトラックを所定の周波数でウォブリングさせた光ディスクとしてのＤＶＤ−Ｒについて図1及び図2を用いて説明する。
【００４１】
まず、図1を用いてＤＶＤ−Ｒの構造について説明する。図1において、ＤＶＤ−Ｒ３１はデータ記録層としての色素膜３５を備えた１回のみ情報データの書き込みが可能な色素型ＤＶＤ−Ｒであり、情報記録トラックとしてのグルーブトラック３２と当該グルーブトラック３２に再生光又は記録光としてのレーザビーム等の光ビームＢを誘導するためのガイドトラックとしてのランドトラック３３が形成されている。また、それらを保護するための保護膜３７及び記録されたデータを再生する際に光ビームＢを反射するための金蒸着膜３６を備えている。そして、このランドトラック３３にプリ情報に対応するプリピット３４が形成されている。このプリピット３４はＤＶＤ−Ｒ３１を出荷する前に予め形成されているものである。
【００４２】
更に、当該ＤＶＤ−Ｒ３１においては、グルーブトラック３２をディスクの回転速度に対応する周波数でウォブリングさせている。このウォブリングされたグルーブトラック３２は、上記プリピット３４と同様に、ＤＶＤ−Ｒ３１を出荷する前に予め形成されるものである。
【００４３】
そして、ＤＶＤ−Ｒ３１に記録情報データ（プリ情報以外の本来記録するべき画像情報等の情報データをいう。以下同じ。）を記録する際には、後述の情報記録装置においてこのグルーブトラック３２のウォブリング周波数を抽出することによりＤＶＤ−Ｒ３１を所定の回転速度で回転制御すると共に、プリピット３４を検出することにより予めプリ情報を取得し、それに基づいて記録光としての光ビームＢの最適出力等が設定されると共に、記録情報データを記録すべきＤＶＤ−Ｒ３１上の位置を示すアドレス情報等が取得され、このアドレス情報に基づいて記録情報データが対応する記録位置に記録される。
【００４４】
ここで、記録情報データの記録時には、光ビームＢをその中心がグルーブトラック３２の中心と一致するように照射してグルーブトラック３２上に記録情報データに対応する記録情報ピットを形成することにより、記録情報データを記録する。この時、光スポットＳＰの大きさは、図１に示すように、その一部がグルーブトラック３２だけではなくランドトラック３３にも照射されるように設定される。
【００４５】
そして、このランドトラック３３に照射された光スポットＳＰの一部の反射光を用いてプッシュプル法（グルーブトラック３２の接線方向、すなわち、ＤＶＤ−Ｒ３１の回転方向に平行な分割線により分割された光検出器を用いたプッシュプル法（以下、ラジアルプッシュプル方式という。））により、プリピット３４からプリ情報を検出して当該プリ情報が取得されると共にグルーブトラック３２からウォブル信号を抽出してディスクの回転に同期した後述する記録用クロック信号が取得される。
【００４６】
次に、上記ＤＶＤ−Ｒ３１に予め記録されているプリ情報の記録フォーマットについて、図２を用いて説明する。なお、図２において、上段は記録情報データにおける記録フォーマットを示し、下段の波形は当該記録情報データを記録するグルーブトラック３２のウォブリング状態（グルーブトラック３２の平面図）を示し、記録情報データとグルーブトラック３２のウォブリング状態の間の上向き矢印は、プリピット３４が形成される位置を模式的に示すものである。ここで、図２においては、グルーブトラック３２のウォブリング状態は、理解の容易のため実際の振幅よりも大きい振幅を用いて示している。なお、記録情報データは当該グルーブトラック３２の中心線上に記録される。
【００４７】
図２に示すように、上記ＤＶＤ−Ｒ３１に記録される記録情報データは、予め情報単位としてのシンクフレーム毎に分割されている。そして、２６のシンクフレームにより一のレコーディングセクタが形成され、更に、１６のレコーディングセクタにより一のＥＣＣ（Error Correcting Code）ブロックが形成される。なお、一のシンクフレームは、上記記録情報データを記録する際の記録フォーマットにより規定されるピット間隔に対応する単位長さ（以下、Ｔという。）の１４８８倍（１４８８Ｔ）の長さを有しており、更に、一のシンクフレームの先頭の３２Ｔの長さの部分はシンクフレーム毎の同期をとるための同期情報ＳＹとして用いられる。
【００４８】
一方、上記ＤＶＤ−Ｒ３１に記録されるプリ情報は、シンクフレーム毎に記録される。ここで、プリピット３４によりＤＶＤ−Ｒ３１にプリ情報が記録される場合は、記録情報における夫々のシンクフレームにおける同期情報ＳＹが記録される領域に隣接するランドトラック３３上に、プリ情報における同期信号を示すものとして必ず一のプリピット３４が形成されると共に、当該同期情報ＳＹ以外の当該シンクフレーム内の前半部分に隣接するランドトラック３３上に、記録すべきプリ情報の内容を示すものとして二又は一のプリピット３４が形成される（なお、同期情報ＳＹ以外の当該シンクフレーム内の前半部分については、記録すべきプリ情報の内容によってはプリピット３４が形成されない場合もある。）。
【００４９】
この際、一のレコーディングセクタにおいては、偶数番目のシンクフレーム（以下、ＥＶＥＮフレームという。）のみにプリピット３４が形成されてプリ情報が記録される。すなわち、図２において、ＥＶＥＮフレームにプリピット３４が形成された場合には（図２において実線上向き矢印で示す。）、それに隣接するＯＤＤフレームにはプリピット３４は形成されない。一のＥＶＥＮフレームとそれに続くＯＤＤフレームにおける上記各プリピット３４（シンクフレームの先頭から夫々プリピットＢ２、Ｂ１及びＢ０とする。）の有無の関係は、当該一のＥＶＥＮフレームがレコーディングセクタの先頭であるか否か、及び当該一のＥＶＥＮフレームとそれに続くＯＤＤフレームに記録すべき情報の内容に対応して設定される。
【００５０】
より詳細には、ＥＶＥＮフレームにプリピットを形成する場合には、レコーディングセクタの先頭のシンクフレームにおいては、全てのプリピット３４（プリピットＢ２、Ｂ１及びＢ０）が形成されており、レコーディングセクタの先頭以外のシンクフレームにおいては当該シンクフレームに記録すべきプリ情報が「１」のときにはプリピットＢ２及びＢ０が形成されており、記録すべきプリ情報が「０」のときにはプリピットＢ２のみが形成される。また、ＯＤＤフレームにプリピットを形成する場合には、レコーディングセクタの先頭のシンクフレームにおいては、プリピットＢ２及びＢ１が形成されており、レコーディングセクタの先頭以外のシンクフレームにおいては上記ＥＶＥＮフレームの場合と同様である。
【００５１】
なお、プリピット３４をＥＶＥＮフレーム／ＯＤＤフレームのいずれのシンクフレームに形成するかは、隣接するランドトラック上に先行して形成されたプリピット３４の位置に依存して決められる。すなわち、プリピット３４は通常ＥＶＥＮフレームに形成されるが、当該ＥＶＥＮフレームにプリピット３４を形成した場合に、先行して形成された隣接するランドトラック上のプリピット３４とＤＶＤ−Ｒ３１のディスクの径方向において近接する時には、ＯＤＤフレームにプリピット３４が形成されるのである。このように形成することにより、隣接するランドトラック位置にはプリピット３４が存在しなくなるためプリピット３４の検出に当たってはクロストークによる影響を低減できる。
【００５２】
一方、グルーブトラック３２は、全てのシンクフレームに亘って１４０ＫＨｚの一定ウォブリング周波数ｆ０（一のシンクフレーム内に８波分のウォブル信号が入る周波数）でウォブリングされている。そして、後述の情報記録装置において、この一定のウォブリング周波数ｆ０を抽出することで、スピンドルモータの回転制御のための信号が検出されると共に、記録用クロック信号が生成される。
【００５３】
なお、プリピット３４とウォブル信号との位相関係を一定にするため、プリピットＢ２は、シンクフレームの開始位置からの所定位置（例えば７Ｔ分離れた位置）に形成され、プリピットＢ２から１８６Ｔ（１４８８Ｔ／８）分づつ離れてプリピットＢ１及びＢ０が形成される（プリピットの形成方法については特願平８年第３１０９４１号に詳細に説明されている。）。
【００５４】
位相比較装置の第１の実施形態次に、情報記録装置に含まれる本願発明に係る位相比較装置の第１の実施の形態について、図３乃至図５に基づいて説明する。なお、以下の説明では、ホストコンピュータから送信されてくる記録情報データを上記ＤＶＤ−Ｒ３１に対して記録するための情報記録装置について本発明を適用した実施の形態を説明するものである。
【００５５】
始めに、この実施形態に係る位相比較装置を含む情報記録装置の全体構成及び動作について図３を用いて説明する。なお、以下の実施の形態では、ＤＶＤ−Ｒ３１において、当該ＤＶＤ−Ｒ３１上のアドレス情報等を含む上記プリピット３４及びウォブリングするグルーブトラック３２が予め形成されており、記録情報データの記録時には、当該プリピット３４を予め検出することによりＤＶＤ−Ｒ３１上のアドレス情報を得、これにより記録情報データを記録するＤＶＤ−Ｒ３１上の記録位置を検出して記録するものとする。
【００５６】
図３に示すように、情報記録装置Ｓは、ピックアップ１と、スピンドルモータ２と、スピンドルドライバ３と、レーザ駆動回路４と、パワー制御回路５と、エンコーダ６と、再生増幅器８と、デコーダ９と、プロセッサ（ＣＰＵ）１０と、回転制御のための基準クロック信号を発生する基準クロック発生器１１と、ＢＰＦ（Band Pass Filter）１２と、プリピット検出手段としてのプリピット信号検出器１３と、プリピット信号デコーダ１４と、ウォブル信号抽出手段としてのウォブル信号抽出器１５と位相比較器１６と、回転制御信号を発生する位相比較器１７と、位相比較器１８１、ＬＰＦ（Low Pass Filter)１８２、ＶＣＯ（Voltage Controlled Oscillator）１８３からなるＰＬＬ（Phase Locked Loop）回路１８と、移相器１９とから構成されている。
【００５７】
これらのうち、ＢＰＦ１２、プリピット信号検出器１３、ウォブル信号抽出器１５、位相比較器１６が本願発明における位相比較装置ＰＤを構成する。さらにＰＬＬ回路１８、移相器１９が加わって、記録用クロック信号発生装置Ｇを構成する。また、当該情報記録装置には、外部のホストコンピュータから（図示せず）記録すべき情報データがインタフェース７を介して入力される。
【００５８】
次に、全体の動作を説明する。ピックアップ１は、図示しないレーザダイオード、偏光ビームスプリッタ、対物レンズ、光検出器等を含み、記録動作の際は、レーザ駆動回路４から供給される、記録情報データに基づいたレーザ駆動信号に応じて変化する出射パワーで光ビームＢをＤＶＤ−Ｒ３１の情報記録面に照射して記録情報データの記録を行うと共に、読取り動作の際は、一定の出射パワー（読取パワー）で光ビームＢをＤＶＤ−Ｒ３１に照射して、その反射光を光検出器で受光する様に動作する。
【００５９】
また、ピックアップ１は情報記録面に照射した光ビームのかかる情報記録面からの反射光を光検出器で受光し、これを電気信号に変換して、例えばラジアルプッシュプル方式に基づく演算処理を施すことにより上記プリピット３４及びグルーブトラック３２のウォブル信号並びに記録情報データ等を担う検出信号ＳDTを生成し、再生増幅器８に出力する。
【００６０】
再生増幅器８は、ピックアップ１から出力されたプリピット３４のプリピット信号及びグルーブトラック３２のウォブル信号を担う検出信号ＳDTを増幅し、プリピット３４のプリピット信号及びグルーブトラック３２のウォブル信号を含むプリ情報信号Ｓppを記録用クロック信号発生装置ＧにおけるＢＰＦ１２に出力すると共に、読取り動作の際には、既に記録されている記録情報データに対応する増幅信号Ｓpをデコーダ９に出力する。
【００６１】
デコーダ９は、入力された増幅信号Ｓpに対して８／１６復調及びデインターリーブを施すことにより当該増幅信号Ｓpをデコードして復調信号ＳDMを生成し、この復調信号ＳDMをＣＰＵ１０に出力する。
【００６２】
一方、ＢＰＦ１２は、再生増幅器８から供給されたプリ情報信号Ｓppに含まれるノイズ成分を除去してウォブル信号の所定位置（例えば最大振幅位置）でプリピット信号が重畳された複合信号Ｓpc（図５（ａ））をプリピット信号検出器１３並びにウォブル信号抽出器１５に出力する。
【００６３】
プリピット信号検出手段であるプリピット信号検出器１３は、複合信号Ｓpcを所定の基準値、例えば、図５（ａ）におけるウォブル信号の最大振幅値より大なるレベルＶrpと比較する図示しないコンパレータからなり、複合信号Ｓpcの振幅レベルが上記基準値Ｖrpよりも大となる期間、すなわち、プリピットの存在する期間、パルス信号であるプリピット検出信号ＳPDをプリピット信号デコーダ１４並びに位相比較器１６に出力する。
【００６４】
プリピット信号デコーダ１４は、供給されたプリピット検出信号ＳPDからＤＶＤ−Ｒ３１上のアドレス情報を含むプリ情報を復号してＣＰＵ１０に出力する。
【００６５】
一方、ウォブル信号抽出手段であるウォブル信号抽出器１５は、複合信号Ｓpcを所定の基準値、例えば図５（ａ）におけるウォブル信号のPP（Peak to Peak）値の中間レベルＶr0と比較する図示しないコンパレータを備え、複合信号Ｓpcの振幅レベルを上記基準値Ｖr0よりも大となる期間Ｈ（High）レベルとなるパルス信号（図５（ｂ））を、抽出ウォブル信号ＳWBとして、位相比較器１６、１７及び記録用クロック信号発生手段であるＰＬＬ回路１８に出力する。
【００６６】
ＰＬＬ回路１８は、位相比較器１８１、ＬＰＦ１８２、ＶＣＯ１８３並びに分周器１８４からなり、入力された抽出ウォブル信号ＳWBの位相に同期したクロック信号ＳCKを移相器１９に出力する。
【００６７】
一方、位相比較器１６は、後述する作用によってプリピット検出信号ＳPDと抽出ウォブル信号ＳWBとの位相比較を行い、かかるプリピット検出信号ＳPDと抽出ウォブル信号ＳWBとが有する所定の位相関係からのずれ、つまり抽出ウォブル信号ＳWBが本来有するべき位相に対する変動量を示す位相調整信号SCNTを移相器１９に出力する。
【００６８】
移相器１９は、後述する方法で、ＰＬＬ回路１８から供給されるクロック信号ＳCKの位相を位相調整信号SCNTに基づいて位相調整し、記録用クロック信号ＳCRとしてエンコーダ６並びにパワー制御回路５に出力する。
【００６９】
一方、位相比較器１７は、入力された抽出ウォブル信号ＳWBと基準クロック発生器１１から供給されるＤＶＤ−Ｒ３１の回転速度の基準周波数成分を担う基準クロック信号ＳREFとの位相比較を行い、その差信号を回転制御信号としてスピンドルドライバ３を介してスピンドルモータ２に供給する。これによりスピンドルサーボが構成されＤＶＤ−Ｒ３１は、所定の回転数で回転せしめられる。
【００７０】
一方、インタフェース７は、ＣＰＵ１０の制御の下、図示しないホストコンピュータから送信されてくる記録情報データＳRRに対して、これを情報記録装置に取り込むためのインタフェース動作を行い、当該記録情報データをエンコーダ６に送る。
【００７１】
エンコーダ６は、移相器１９から供給される記録用クロック信号ＳCRをタイミング信号として、ＥＣＣ処理、８／１６変調処理並びにスクランブル処理を施し、変調信号ＳREを生成してパワー制御回路５に出力する。
【００７２】
パワー制御回路５は、ディスク上に形成される記録ピットの形状を良好にするべく、クロック信号発生装置Ｇから出力される記録用クロック信号ＳCRに基づいて、変調信号ＳREの波形変換（いわゆる、ライトストラテジ処理）を行い、記録信号ＳDとしてレーザ駆動回路４に出力する。
【００７３】
レーザ駆動回路４は、ピックアップ1における図示しないレーザダイオードを実際に駆動して、供給された記録信号ＳDに応じた出射パワーで光ビームＢを出射せしめるためのレーザ駆動信号を出力する。
【００７４】
ＣＰＵ１０は、記録動作の際は、プリピット信号デコーダ１４から供給されるプリ情報からアドレス情報を取得し、当該アドレス情報に対応するＤＶＤ−Ｒ３１上の位置に記録情報データを記録する様に情報記録装置全体を制御する。また再生動作の際は、ＣＰＵ１０は、復調信号ＳDMからディスク３１に記録されている記録情報データを取得し、かかる記録情報データを外部のホストコンピュータに出力する様に、情報記録装置全体を制御する。
【００７５】
次に、本願発明に係る位相比較器１６、並びに移相器１９のより具体的な構成について図４及び図５を用いて説明する。
【００７６】
位相比較器１６は、抽出ウォブル信号ＳWBのＨレベルの間所定の傾斜角度を有する三角波信号を発生する周期信号発生手段としての三角波発生回路１６３と、プリピット検出信号ＳPDの検出タイミングにおける当該発生された三角波信号の振幅レベルを保持する保持手段としてのサンプルホールド回路１６４とを含んで構成される。
【００７７】
三角波発生回路１６３は、一端が接地されたキャパシタ４５と、当該キャパシタ４５の他方の一端に接続され当該キャパシタ４５に一定電流を供給する定電流源４６と、一端が接地されると共に他方の一端が上記キャパシタ４５と定電流源４６との接続点ａに接続されたスイッチ４７とからなる。また、スイッチ４７は、バッファ１６１を介して供給される抽出ウォブル信号ＳWBに応じて、当該抽出ウォブル信号ＳWBがＨレベルの期間は開状態とされると共に、抽出ウォブル信号ＳWBがＬ（Low）レベルの期間は閉状態とされる。
【００７８】
以上の構成により、三角波信号の発生が行われる。すなわち、抽出ウォブル信号ＳWBがＨレベルとなり、スイッチ４７が開状態とされると、定電流源４６からキャパシタ４５に供給される一定の充電電流によって、キャパシタ４５の静電容量に応じた傾斜角度で接続点ａにおける端子電圧、つまり、キャパシタ４５の充電電圧が上昇する（図５（ｄ）のＴ１）。
【００７９】
一方、抽出ウォブル信号ＳWBがＬレベルとなり、スイッチ４７が閉状態とされると、キャパシタ４５の充電電圧はスイッチ４７を介して一気に放電され、接続点ａは接地電圧となる（図５（ｄ）のＴ２）。この間、定電流源４６から供給される充電電流もスイッチ４７を通じてキャパシタ４５をバイパスされる。そして、再度スイッチ４７が開状態とされると、キャパシタ４５への充電電流の供給が再開されキャパシタ４５の端子電圧は、接地電圧から時間と共に一定の傾斜で上昇する（図５（ｄ）のＴ３）。このように、三角波発生回路１６３は、抽出ウォブル信号ＳWBのＨレベルの期間、振幅レベルが一定の割合で変化する三角波信号を発生し、かかる三角波信号をバッファ１６２を介してサンプルホールド回路１６４に出力する。
【００８０】
サンプルホールド回路１６４は、バッファ１６２を介して供給される三角波信号をプリピット検出信号ＳPDに応じてキャパシタ４９に中継するスイッチ４８と、中継された三角波信号の電圧レベルを保持するキャパシタ４９とから構成される。
【００８１】
スイッチ４８は、プリピット検出信号ＳPDがＨレベルの期間、閉状態となって三角波信号をキャパシタ４９に供給すると共に、プリピット検出信号ＳPDがＬレベルの期間は開状態となって三角波信号のキャパシタ４９への供給を断とする。
【００８２】
したがって、キャパシタ４９は、プリピット検出信号ＳPDのＨレベルの期間に供給された三角波信号の振幅レベルに応じた充電電圧を次のプリピット検出信号ＳPDのＨレベル期間が到来するまでの間保持することになる。このキャパシタ４９の保持する充電電圧が位相調整信号ＳCNTとしてバッファ１６５を介して移相器１９に供給される。
【００８３】
以上の通り、位相比較器１６は、抽出ウォブル信号ＳWBのＨレベル／Ｌレベルの間の遷移状態に応じてキャパシタ４５を充放電することによって所定の傾斜角度を有する三角波信号を発生し、当該三角波信号の振幅レベルをプリピット検出信号ＳPDの検出タイミングでサンプル／ホールドする。
【００８４】
ＤＶＤ−Ｒ３１におけるウォブル信号を担うグルーブとプリピット信号を担うプリピットは図２に示される通り所定の位相関係を持って記録されている。したがって、ウォブル信号抽出器１５から出力される抽出ウォブル信号ＳWBとプリピット信号検出器１３から出力されるプリピット検出信号ＳPDの位相が当該所定の位相関係にあるならば、サンプル／ホールドされた信号レベルは、常に所定の電圧レベルである（例えば、図５（ｄ）における三角波信号の中間振幅レベルＶMとなる）。
【００８５】
しかしながら、クロストークの影響により、隣接するグルーブトラックからのウォブル信号成分の漏れ込みがあると、かかるウォブル信号成分との干渉によって、当該グルーブトラックからの抽出ウォブル信号ＳWBに時間軸上での変動が生じることになる。一方、上記の通り、プリピット信号はＤＶＤ−Ｒ３１の径方向には近接して形成されることはないため、隣接するランドトラックからのクロストークの影響は受けないから、複合信号ＳPCから検出されるプリピット検出信号ＳPDはクロストークに基づく時間軸上での変動を伴わない正確なタイミング信号と見なすことができる。
【００８６】
したがって、かかるプリピット検出信号ＳPDによって抽出ウォブル信号ＳWBから生成した三角波信号をサンプル／ホールドすることにより、上記所定の位相関係からの偏倚量、つまり、ウォブル信号の本来の位相からの変動量を知ることが可能となる。つまり、位相比較器１６は、抽出ウォブル信号ＳWBとプリピット検出信号ＳPDとの位相差（クロストークによって生じた抽出ウォブル信号の時間軸エラー）に応じた電圧信号（この例では中間振幅レベルＶMを中心とした振幅レベル）を出力するように動作する。かかる位相差信号が位相調整信号ＳCNTとして移相器１９に供給されるのである。
【００８７】
一方、移相器１９は、ＰＬＬ回路１８から出力されたクロック信号SCKがキャパシタ１９５を介してベース端子Ｂに供給されるトランジスタ１９１と、アノードが当該トランジスタ１９１のコレクタ端子Ｃに接続されると共にカソードがキャパシタ１９６を介して接続点ｂにおいて抵抗器１９３に接続される可変容量ダイオード１９２と、一端が当該トランジスタ１９１のエミッタ端子Ｅに接続されると共に他方の一端が接続点ｂに接続される抵抗器１９３とを備える。
【００８８】
また、位相比較器１６から供給される位相調整信号ＳＣＮＴは抵抗器１９４を介して可変容量ダイオード１９２のカソードに接続される。そして、接続点ｂから記録用クロック信号ＳCRがバッファ１９８を介して出力される構成となっている。なお、複数の抵抗器１９７はトランジスタ１９１のバイアス抵抗である。
【００８９】
以上の構成により、ＰＬＬ回路１８から供給されるクロック信号ＳCKが、移相器１９に入力され、かかるクロック信号ＳCKの位相がサンプルホールド回路１６４から供給される位相調整信号ＳCNTに応じて移相される。すなわち、トランジスタ１９１のベース端子Ｂに供給されたクロック信号ＳCKは、コレクタ端子Ｃから入力クロック信号ＳCKに対して１８０度位相反転された反転信号として出力されると共に、エミッタ端子Ｅからは入力クロック信号とは同相信号として出力される。この際、可変容量ダイオード１９２並びにキャパシタ１９６の静電容量に基づくリアクタンス値が抵抗器１９３の抵抗値に比べ充分小ならば、接続点ｂからの出力信号、すなわち移相器１９から出力される記録用クロック信号ＳCRは、入力クロック信号ＳCKに対して略１８０度移相されることになる。
【００９０】
逆に、リアクタンス値が抵抗値よりも充分大ならば、入力クロック信号ＳCKと記録用クロック信号ＳCRは、同相のままである。このように、移相量は可変容量ダイオード１９２、キャパシタ１９６並びに抵抗器１９３によるインピーダンスに応じて変化する。なお、１８０度以上の移相量を必要とする場合には、移相器１９を縦続に接続し多段構成とすればよい。
【００９１】
この実施形態では、位相比較器１６から出力される位相差信号を位相調整信号ＳCNTとして可変容量ダイオード１９２に供給し、かかる位相調整信号ＳCNTによって可変容量ダイオード１９２の端子電圧を変化せしめることにより可変容量ダイオードのリアクタンス値を変化せしめ、クロック信号ＳCKの移相量を変化させて記録用クロック信号ＳCRを得ている。つまり、位相調整信号ＳCNTの信号レベルが、抽出ウォブル信号とプリピット検出信号との位相関係が所定の位相関係であることを示す上記ＶMからどれくらい偏倚しているのかに応じて、かかる偏倚量を相殺する方向にクロック信号ＳCKの移相量を調整し、かかる調整の施されたクロック信号を記録用クロック信号としてエンコーダ６、並びにパワー制御回路５に出力するのである。
【００９２】
このように、クロストークの影響を無視できないウォブル信号に基づいて生成されるクロック信号の時間軸上の変動を、クロストークの影響を受けないプリピットを用いて補正するので、ディスクの回転に高い精度で同期した記録用クロック信号を生成することが可能となる。
【００９３】
位相比較装置の第２の実施形態次に、位相比較装置の他の実施形態について、図６乃至図９に基づいて説明する。図6は位相比較装置の第２の実施形態を示すブロック図である。第２の実施形態では、第１の実施形態における位相比較器１６の作用をディジタル信号処理によって実現する位相比較器２６を採用する。図６に示すように、位相比較器２６は、三角波発生回路２６１と、保持回路２６２と、演算回路２６３と、Ｄ／Ａ回路２６４と、タイミング発生回路２６５とから構成されている。
【００９４】
三角波発生回路２６１は図７に示すように、抽出ウォブル信号ＳWBが、ＬＯＡＤ信号として供給され、抽出ウォブル信号ＳWBが例えばＨｉｇｈレベルの期間のみ、ＰＬＬ回路１８で生成されたクロック信号ＳCKをカウントする計数回路よりなり、カウントされたクロック信号ＳCKの数を、ｎｂｉｔ（ｎは２以上の整数）のディジタル値Ｑ１、・・・、Ｑｎとして出力する。このディジタル値Ｑ１、・・・、Ｑｎは第１の実施形態における三角波発生回路１６３の三角波出力の振幅レベルに相当することになる。
【００９５】
保持回路２６２は図７に示すように、三角波発生回路２６１の出力Ｑ１、・・・、Ｑｎを入力とする３個のＤ型フリップフロップより成り、各入力信号は後述するタイミング発生回路２６５によって、プリピット検出信号ＳPDに基づいて生成されるタイミング信号であるタイミング１、タイミング２、タイミング３が指示するタイミングでラッチ（保持）される。
【００９６】
すなわち、保持回路２６２は、三角波発生回路２６１の出力Ｑ１、・・・、Ｑｎを、プリピット検出信号ＳPDより作られた、タイミング１、タイミング２、タイミング３の信号でラッチし、ディジタル値としてそれぞれ計測値１、計測値２、計測値３を出力する。
【００９７】
次に演算回路２６３は図８に示すように、加算回路と、３で除する除算回路よりなる。すなわち演算回路２６３は保持回路２６２から出力される計測値１、計測値２、計測値３を、タイミング発生回路２６５から供給される演算タイミング１の信号により加算して、加算結果を演算値１として出力し、さらに、同じくタイミング発生回路２６５から供給される演算タイミング２の信号により、３で除することによって、計測値１、計測値２、および計測値３の平均値であるところの演算値ＤＳCNTをディジタル値として出力する。
【００９８】
Ｄ／Ａ回路２６４は演算回路２６３から出力される、計測値１、計測値２、および計測値３の平均値であるディジタル化された演算値ＤＳCNTをアナログ値としての位相調整信号ＳCNTに変換するためのもので
ある。
【００９９】
次にタイミング発生回路２６５について図９を用いて説明する。タイミング発生回路２６５は、プリピット検出信号ＳPDとクロック信号ＳCKを入力信号とする論理回路からなり、プリピット検出信号ＳPDに基づいて、上述した保持回路２６２において三角波発生回路２６１からの入力信号、すなわち単調増加信号を保持するタイミングを示すタイミング信号１、タイミング信号２、タイミング信号３並びに、演算回路２６３における演算を行うタイミングを示す演算タイミング信号１、演算タイミング信号２を出力する。また、Ｄ／Ａ回路２６４に対して、変換タイミング信号を出力する。
【０１００】
タイミング信号１、タイミング信号２、及びタイミング信号３は、図２に示した如く、１シンクフレームの期間において、プリピットＢ２、Ｂ１及びＢ０がそれぞれ存在するべきタイミング（例えばシンクフレームの開始位置から７Ｔ、１９３Ｔ、３７９Ｔのタイミング）を含む所定の範囲で開く（ＨＩレベルとなる）ゲート信号１、ゲート信号２、及びゲート信号３とプリピット検出信号ＳPDとの論理演算（論理積）を行うことによって生成される。
【０１０１】
より具体的には、図９に示す如く、タイミング信号１はプリピットＢ２が存在するべきタイミングを含む所定の範囲で開くゲート信号１とプリピット検出信号ＳPDとの論理積を演算することによって生成され（図９の時刻ｔ１）、タイミング信号２はプリピットＢ１が存在するべきタイミングを含む所定の範囲で開くゲート信号２とプリピット検出信号ＳPDとの論理積を演算することによって生成され（図９の時刻ｔ２）、タイミング信号３はプリピットＢ０が存在するべきタイミングを含む所定の範囲で開くゲート信号３とプリピット検出信号ＳPDとの論理積を演算することによって生成される（図９の時刻ｔ３）。従って、例えば図９の時刻ｔ４、ｔ５、ｔ６、及び時刻ｔ８に示す如くプリピットＢ２、Ｂ１、Ｂ０及びプリピットＢ１が存在するべきタイミングであっても、プリピット検出信号ＳPDが発生しなかった場合（各プリピットが実際に記録されていないか、あるいは記録されていてもプリピット検出器１３で検出できなかった場合）には、タイミング信号１、２、３、及びタイミング信号２は発生しない。
【０１０２】
演算タイミング信号１は、上記タイミング信号１、タイミング信号２、タイミング信号３に応じてラッチされた各計測値を加算演算するタイミングを知らしめるものであって、図９に示す如く、例えばゲート信号３が閉じる（Ｌレベルとなる）タイミングで発生する。演算タイミング信号２は、上記演算タイミング信号１によって加算演算された結果を除算するタイミングを知らしめるものであって、演算回路２６３（図８）において演算タイミング信号１の発生タイミングから加算演算するのに要する時間以上に相当する時間経過の後に発生される。そして、この演算タイミング信号２で除算演算された演算値ＤＳCNTは、次に演算タイミング信号２が発生されて新たな除算演算が実行されるまで保持される。また、演算タイミング信号１及び演算タイミング信号２は上述した時刻ｔ４、ｔ５、ｔ６においてプリピット検出信号ＳPDが存在しない場合にも発生するが、その場合には、計測値１、計測値２、及び計測値３は前の値が保持回路２６２において保持されるので、結局、演算値ＤＳCNTも保持されることになる。
【０１０３】
従って、例えば図９に示す時刻ｔ１２において、本来は記録されていないプリピットがノイズ等で誤検出された場合にも、時刻ｔ１０、ｔ１１で検出したプリピットに基づく計測値との平均化を行って位相調整信号ＳCNTを生成しているので、時刻ｔ１２における誤検出の影響がそのまま次のプリピットの検出時まで残ることがなく、ノイズ等によるプリピットの誤検出が位相調整信号ＳCNTに与える影響を低減することが可能となる。
【０１０４】
上述した図３乃至図９に示す如き、抽出ウォブル信号の位相情報を担う信号とプリピット検出信号との位相比較によって得られる位相調整信号に基づいて記録用クロック信号の位相調整を行う構成であれば、ディスクの回転に高い精度で追従する記録用クロックを生成できるという効果が期待できる。
【０１０５】
なお、図３乃至図９に示した実施形態においては、記録媒体としてウォブリングされたグルーブトラック間（ランドトラック）にプリピットを形成したＤＶＤ−Ｒを採用した例について説明したが、情報記録用トラックであるグルーブトラック上にプリピットが形成された記録媒体に対しても本願発明を適用することが可能である。また、上記説明では、三角波発生回路１６３、２６１は、いずれも抽出ウォブル信号がＨレベルの期間、つまり、抽出ウォブル信号の１周期の半分の期間で三角波を発生する例を述べたが、抽出ウォブル信号の１周期に亘って三角波を発生するよう構成しても良い。
【図面の簡単な説明】
【０１０６】
【図１】ウォブリンググルーブとプリピットの構成の一例を示す関係図である。
【図２】実施形態のＤＶＤ−Ｒ３１における記録フォーマットの一例を示す図である。
【図３】本願発明の第１の実施の形態である位相比較装置を含む情報記録装置の全体構成を示すブロック図である。
【図４】本願発明の第１の実施の形態の位相比較装置における位相比較器１６と、記録用クロック信号ＳCRを生成する移相器１９の具体的な構成例を示す図である。
【図５】図4の回路の動作を説明する波形の模式図である。
【図６】本願発明の第２の実施の形態の位相比較装置における位相比較器２６のブロック図である。
【図７】位相比較器２６を構成する三角波発生回路２６１と保持回路２６２の具体的な構成例を示す図である。
【図８】位相比較器２６を構成する演算回路２６３の具体的な構成例を示す図である。
【図９】図６のブロック図の動作を説明するタイミングチャートである。
【符号の説明】
【０１０７】
１  ・・・・  ピックアップ
２  ・・・・  スピンドルモータ
３  ・・・・  スピンドルドライバ
４  ・・・・  レーザ駆動回路
５  ・・・・  パワー制御回路
６  ・・・・  エンコーダ
７  ・・・・  インタフェース
８  ・・・・  再生増幅器
９  ・・・・  デコーダ
１０  ・・・・  プロセッサ
１１  ・・・・  基準クロック発生器
１２  ・・・・  ＢＰＦ
１３  ・・・・  プリピット検出手段としてのプリピット信号検出器
１４  ・・・・  プリピット信号デコーダ
１５  ・・・・  ウォブル信号抽出手段としてのウォブル信号抽出器
１６、２６  ・・・・  位相比較器
１７  ・・・・  位相比較器
１８  ・・・・  ＰＬＬ回路
１９  ・・・・  移相器
１６３、２６１  ・・・・  周期信号発生手段としての三角波発生回路
１６４  ・・・・  保持手段としてのサンプルホールド回路
３１  ・・・・  ＤＶＤ−Ｒ
２６２  ・・・・  保持手段としての保持回路
２６３  ・・・・  平均化手段としての演算回路
２６４  ・・・・  Ｄ／Ａ回路
２６５  ・・・・  タイミング発生回路
【図１】
2005322407.tif 000003
【図２】
2005322407.tif 000004
【図３】
2005322407.tif 000005
【図４】
2005322407.tif 000006
【図５】
2005322407.tif 000007
【図６】
2005322407.tif 000008
【図７】
2005322407.tif 000009
【図８】
2005322407.tif 000010
【図９】
2005322407.tif 000011
【手続補正書】
【提出日】平成17年6月21日(2005.6.21)
【手続補正１】
【補正対象書類名】特許請求の範囲
【補正対象項目名】全文
【補正方法】変更
【補正の内容】
【特許請求の範囲】
【請求項１】
所定の周波数成分を有するウォブル信号でウォブリングしたデータ記録用トラックを有すると共に、当該ウォブル信号と所定の位相関係を有するようにプリ情報が記録された情報記録媒体にデータを記録する情報記録装置であって、
前記情報記録媒体から検出される検出信号を出力する検出信号出力手段と、
前記出力された検出信号からウォブル信号を抽出するウォブル信号抽出手段と、
前記出力された検出信号からプリ情報を検出してプリ情報検出信号を生成するプリ情報検出手段と、
前記抽出されたウォブル信号に基づいて記録用クロック信号を発生させる記録用クロック信号発生手段と、
前記記録用クロック信号及び前記プリ情報検出信号に基づいて、前記情報記録媒体に前記データを記録する記録手段と
を備えることを特徴とする情報記録装置。
【請求項２】
前記データは、複数の情報単位を含み、
前記プリ情報は、所定数の前記情報単位に対応する間隔に対応して前記情報記録媒体に記録されており、
前記プリ情報検出手段は、前記情報記録媒体から、前記プリ情報を検出してプリ情報検出信号を生成することを特徴とする請求項１に記載の情報記録装置。
【請求項３】
前記データは、複数の情報単位を含み、
前記プリ情報は、前記情報単位中の同期情報が記録される領域に対応する、前記情報記録媒体上の位置に記録されており、
前記プリ情報検出手段は、前記情報記録媒体から、前記プリ情報を検出してプリ情報検出信号を生成することを特徴とする請求項１又は２に記載の情報記録装置。
【請求項４】
前記データは、複数の情報単位を含み、
前記プリ情報は、前記情報単位の開始位置から所定距離だけ離れた、前記情報記録媒体上の位置に記録されており、
前記プリ情報検出手段は、前記情報記録媒体から、前記プリ情報を検出してプリ情報検出信号を生成することを特徴とする請求項１から３のうちいずれか一項に記載の情報記録装置。
【請求項５】
前記プリ情報検出信号に基づいて、最適記録パワーを設定する最適記録パワー設定手段を更に備えることを特徴とする請求項１から４のうちいずれか一項に記載の情報記録装置。
【請求項６】
前記プリ情報検出信号に基づいて、前記情報記録媒体上のアドレス情報を取得するアドレス情報取得手段を更に備えることを特徴とする請求項１から５のうちいずれか一項に記載の情報記録装置。
【請求項７】
前記抽出されたウォブル信号に基づいて、前記情報記録媒体の回転制御を行うサーボ手段を更に備えることを特徴とする請求項１から６のうちいずれか一項に記載の情報記録装置。
【請求項８】
所定の周波数成分を有するウォブル信号でウォブリングしたデータ記録用トラックを有すると共に、当該ウォブル信号と所定の位相関係を有するようにプリ情報が記録された情報記録媒体にデータを記録する情報記録方法であって、
前記情報記録媒体から検出される検出信号を出力する検出信号出力工程と、
前記出力された検出信号からウォブル信号を抽出するウォブル信号抽出工程と、
前記出力された検出信号からプリ情報を検出してプリ情報検出信号を生成するプリ情報検出工程と、
前記抽出されたウォブル信号に基づいて記録用クロック信号を発生させる記録用クロック信号発生工程と、
前記記録用クロック信号及び前記プリ情報検出信号に基づいて、前記情報記録媒体に前記データを記録する記録工程と
を備えることを特徴とする情報記録方法。
【請求項９】
前記データは、複数の情報単位を含み、
前記プリ情報は、所定数の前記情報単位に対応する間隔に対応して前記情報記録媒体に記録されており、
前記プリ情報検出工程は、前記情報記録媒体から、前記プリ情報を検出してプリ情報検出信号を生成することを特徴とする請求項８に記載の情報記録方法。
【請求項１０】
前記データは、複数の情報単位を含み、
前記プリ情報は、前記情報単位中の同期情報が記録される領域に対応する、前記情報記録媒体上の位置に記録されており、
前記プリ情報検出工程は、前記情報記録媒体から、前記プリ情報を検出してプリ情報検出信号を生成することを特徴とする請求項８又は９に記載の情報記録方法。
【請求項１１】
前記データは、複数の情報単位を含み、
前記プリ情報は、前記情報単位の開始位置から所定距離だけ離れた、前記情報記録媒体上の位置に記録されており、
前記プリ情報検出工程は、前記情報記録媒体から、前記プリ情報を検出してプリ情報検出信号を生成することを特徴とする請求項８から１０のうちいずれか一項に記載の情報記録方法。
【請求項１２】
前記プリ情報検出信号に基づいて、最適記録パワーを設定する最適記録パワー設定工程を更に備えることを特徴とする請求項８から１１のうちいずれか一項に記載の情報記録方法。
【請求項１３】
前記プリ情報検出信号に基づいて、前記情報記録媒体上のアドレス情報を取得するアドレス情報取得工程を更に備えることを特徴とする請求項８から１２のうちいずれか一項に記載の情報記録方法。
【請求項１４】
前記抽出されたウォブル信号に基づいて、前記情報記録媒体の回転制御を行うサーボ工程を更に備えることを特徴とする請求項８から１３のうちいずれか一項に記載の情報記録方法。
【手続補正２】
【補正対象書類名】明細書
【補正対象項目名】００１１
【補正方法】変更
【補正の内容】
【００１１】
上記課題を解決するために、本願発明の情報記録装置は、所定の周波数成分を有するウォブル信号でウォブリングしたデータ記録用トラックを有すると共に、当該ウォブル信号と所定の位相関係を有するようにプリ情報が記録された情報記録媒体にデータを記録する情報記録装置であって、前記情報記録媒体から取得される取得信号を出力する検出信号出力手段と、前記出力された取得信号からウォブル信号を抽出するウォブル信号抽出手段と、前記出力された取得信号からプリ情報を検出してプリ情報検出信号を生成するプリ情報検出手段と、前記抽出されたウォブル信号に基づいて記録用クロック信号を発生させる記録用クロック信号発生手段と、前記記録用クロック信号及び前記プリ情報検出信号に基づいて、前記情報記録媒体に前記データを記録する記録手段とを備える。
【手続補正３】
【補正対象書類名】明細書
【補正対象項目名】００１２
【補正方法】変更
【補正の内容】
【００１２】
上記課題を解決するために、本願発明の情報記録方法は、所定の周波数成分を有するウォブル信号でウォブリングしたデータ記録用トラックを有すると共に、当該ウォブル信号と所定の位相関係を有するようにプリ情報が記録された情報記録媒体にデータを記録する情報記録方法であって、前記情報記録媒体から検出される検出信号を出力する検出信号出力工程と、前記出力された検出信号からウォブル信号を抽出するウォブル信号抽出工程と、前記出力された検出信号からプリ情報を検出してプリ情報検出信号を生成するプリ情報検出工程と、前記抽出されたウォブル信号に基づいて記録用クロック信号を発生させる記録用クロック信号発生工程と、前記記録用クロック信号及び前記プリ情報検出信号に基づいて、前記情報記録媒体に前記データを記録する記録工程とを備えることを特徴とする情報記録方法。
【手続補正４】
【補正対象書類名】明細書
【補正対象項目名】００１３
【補正方法】変更
【補正の内容】
【００１３】
本願発明の情報記録装置によれば、所定の周波数を有するウォブル信号でウォブリングされたデータ記録用トラックを有すると共に、当該ウォブル信号とは所定の位相関係を有するようにプリ情報が記録されている情報記録媒体において、発生された記録用クロック信号に基づいてデータが記録される。
ここでは、まず前記検出信号出力手段によって、前記情報記録媒体から検出される検出信号が出力される。次いで、前記出力された検出信号からウォブル信号抽出手段によって、前記ウォブル信号が抽出される。次いで、前記プリ情報検出手段によって前記出力された検出信号からプリ情報が検出されてプリ情報検出信号が生成される。次いで、前記記録用クロック発生手段によって前記抽出されたウォブル信号に基づいて前記記録用クロック信号が発生される。次いで、前記記録手段によって、前記記録用クロック信号及び前記プリ情報検出信号に基づいて、前記情報記録媒体に前記データが記録される。
本発明の情報記録装置に係る一の態様では、前記データは、複数の情報単位を含み、前記プリ情報は、所定数の前記情報単位に対応する間隔に対応して前記情報記録媒体に記録されており、前記プリ情報検出手段は、前記情報記録媒体から、前記プリ情報を検出してプリ情報検出信号を生成する。
この態様によれば、前記記録手段によって、生成された前記プリ情報検出信号に基づいて、前記情報記録媒体に前記データを高精度な回転制御の下で記録可能である。
本発明の情報記録装置に係る他の態様では、前記データは、複数の情報単位を含み、前記プリ情報は、前記情報単位中の同期情報が記録される領域に対応する、前記情報記録媒体上の位置に記録されており、前記プリ情報検出手段は、前記情報記録媒体から、前記プリ情報を検出してプリ情報検出信号を生成する。
この態様によれば、前記記録手段によって、生成された前記プリ情報検出信号に基づいて、前記情報記録媒体に前記データを高精度な回転制御の下で記録可能である。
本発明の情報記録装置に係る他の態様では、前記データは、複数の情報単位を含み、前記プリ情報は、前記情報単位の開始位置から所定距離だけ離れた、前記情報記録媒体上の位置に記録されており、前記プリ情報検出手段は、前記情報記録媒体から、前記プリ情報を検出してプリ情報検出信号を生成する。
この態様によれば、前記記録手段によって、生成された前記プリ情報検出信号に基づいて、前記情報記録媒体に前記データを高精度な回転制御の下で記録可能である。
本発明の情報記録装置に係る他の態様では、前記プリ情報検出信号に基づいて、最適記録パワーを設定する最適記録パワー設定手段を更に備える。
この態様によれば、前記記録手段によって、設定された最適記録パワーに基づいて、前記情報記録媒体に前記データを高精度に記録可能である。
本発明の情報記録装置に係る他の態様では、前記プリ情報検出信号に基づいて、前記情報記録媒体上のアドレス情報を取得するアドレス情報取得手段を更に備える。
この態様によれば、前記記録手段によって、取得されたアドレス情報に基づいて、前記情報記録媒体に前記データを高精度に記録可能である。
本発明の情報記録装置に係る他の態様では、前記抽出されたウォブル信号に基づいて、前記情報記録媒体の回転制御を行うサーボ手段を更に備える。
この態様によれば、前記記録手段によって、サーボ手段の高精度な回転制御の下で、前記情報記録媒体に前記データを記録可能である。
本願発明の情報記録方法によれば、所定の周波数を有するウォブル信号でウォブリングされたデータ記録用トラックを有すると共に、当該ウォブル信号とは所定の位相関係を有するようにプリ情報が記録されている情報記録媒体において、発生された記録用クロック信号に基づいてデータが記録される。
ここでは、まず前記検出信号出力工程によって、前記情報記録媒体から検出される検出信号が出力される。次いで、前記出力された検出信号からウォブル信号抽出工程によって、前記ウォブル信号が抽出される。次いで、前記プリ情報検出工程によって前記出力された検出信号からプリ情報が検出されてプリ情報検出信号が生成される。次いで、前記記録用クロック発生工程によって前記抽出されたウォブル信号に基づいて前記記録用クロック信号が発生される。次いで、前記記録工程によって、前記記録用クロック信号及び前記プリ情報検出信号に基づいて、前記情報記録媒体に前記データが記録される。
本発明の情報記録方法に係る一の態様では、前記データは、複数の情報単位を含み、前記プリ情報は、所定数の前記情報単位に対応する間隔に対応して前記情報記録媒体に記録されており、前記プリ情報検出工程は、前記情報記録媒体から、前記プリ情報を検出してプリ情報検出信号を生成する。
この態様によれば、前記記録工程によって、生成された前記プリ情報検出信号に基づいて、前記情報記録媒体に前記データを高精度な回転制御の下で記録可能である。
本発明の情報記録方法に係る他の態様では、前記データは、複数の情報単位を含み、前記プリ情報は、前記情報単位中の同期情報が記録される領域に対応する、前記情報記録媒体上の位置に記録されており、前記プリ情報検出工程は、前記情報記録媒体から、前記プリ情報を検出してプリ情報検出信号を生成する。
この態様によれば、前記記録工程によって、生成された前記プリ情報検出信号に基づいて、前記情報記録媒体に前記データを高精度な回転制御の下で記録可能である。
本発明の情報記録方法に係る他の態様では、前記データは、複数の情報単位を含み、前記プリ情報は、前記情報単位の開始位置から所定距離だけ離れた、前記情報記録媒体上の位置に記録されており、前記プリ情報検出工程は、前記情報記録媒体から、前記プリ情報を検出してプリ情報検出信号を生成する。
この態様によれば、前記記録工程によって、生成された前記プリ情報検出信号に基づいて、前記情報記録媒体に前記データを高精度な回転制御の下で記録可能である。
本発明の情報記録方法に係る他の態様では、前記プリ情報検出信号に基づいて、最適記録パワーを設定する最適記録パワー設定工程を更に備える。
この態様によれば、前記記録工程によって、設定された最適記録パワーに基づいて、前記情報記録媒体に前記データを高精度に記録可能である。
本発明の情報記録方法に係る他の態様では、前記プリ情報検出信号に基づいて、前記情報記録媒体上のアドレス情報を取得するアドレス情報取得工程を更に備える。
この態様によれば、前記記録工程によって、取得されたアドレス情報に基づいて、前記情報記録媒体に前記データを高精度に記録可能である。
本発明の情報記録方法に係る他の態様では、前記抽出されたウォブル信号に基づいて、前記情報記録媒体の回転制御を行うサーボ工程を更に備える。
この態様によれば、前記記録工程によって、サーボ工程の高精度な回転制御の下で、前記情報記録媒体に前記データを記録可能である。
【手続補正５】
【補正対象書類名】明細書
【補正対象項目名】００１７
【補正方法】変更
【補正の内容】
【００１７】
以上説明したように、本願発明の情報記録装置及び方法では、所定の周波数成分を有するウォブル信号でウォブリングしたデータ記録用トラックを有すると共に、当該ウォブル信号と所定の位相関係を有するようにプリ情報が記録された情報記録媒体にデータを記録する情報記録装置及び方法であって、前記情報記録媒体から検出される検出信号を出力する検出信号出力手段及び工程と、前記出力された検出信号からウォブル信号を抽出するウォブル信号抽出手段及び工程と、前記出力された検出信号からプリ情報を検出してプリ情報検出信号を生成するプリ情報検出手段及び工程と、前記抽出されたウォブル信号に基づいて記録用クロック信号を発生させる記録用クロック信号発生手段及び工程と、前記記録用クロック信号及び前記プリ情報検出信号に基づいて、前記情報記録媒体に前記データを記録する記録手段及び工程とを備える。従って、隣接するグルーブトラックのウォブル信号によるクロストークによって、所望のグルーブトラックにおける抽出ウォブル信号の時間軸が変動した場合でも、抽出ウォブル信号の、本来有する位相に対する変動量を正確に検出することが可能となり、ひいては、ディスクの回転に正確に同期した記録用クロック信号を生成することができる。